(57)【特許請求の範囲】
【請求項１】
玄関に設置され、来訪者が居住者を呼び出すためのインターホン子機と、居室内に設置され、前記インターホン子機からの呼び出しに応答するためのインターホン親機と、インターネットを介して前記インターホン親機と接続可能な外部サーバーと、ユーザーが所持しており、前記インターネットを介して前記外部サーバーと接続可能な携帯端末とを備え、
前記外部サーバーに保存されているアプリケーションを前記携帯端末にダウンロードさせ、前記携帯端末で前記アプリケーションを起動させることにより、前記携帯端末と前記インターホン親機との間で通信が確立され、前記携帯端末で前記インターホン親機から情報を受け取ることができるという前記外部サーバーが提供するサービスをうけられるインターホンシステムであって、
前記外部サーバーに、前記アプリケーションに付されているアプリＵＵＩＤと、前記携帯端末が有する端末ＵＵＩＤとをもとに、新たなユーザーＩＤとパスワードとを生成する識別情報生成部が設けられており、
前記サービスをうけるための初期設定に際し、前記携帯端末での前記アプリケーションの起動に伴い、前記インターホン親機を介して前記アプリＵＵＩＤ及び前記端末ＵＵＩＤが前記外部サーバーへ送信されると、前記外部サーバーにおいて、前記アプリＵＵＩＤ及び前記端末ＵＵＩＤをもとに前記新たなユーザーＩＤ及びパスワードが生成され、生成された前記新たなユーザーＩＤ及びパスワードが前記インターホン親機と前記携帯端末とへ返信されると、前記インターホン親機及び前記携帯端末において前記アプリＵＵＩＤ及び前記端末ＵＵＩＤに関連づけて登録されるようになっており、
以後、前記サービスをうけるにあたって前記携帯端末で前記アプリケーションが起動されると、前記アプリＵＵＩＤ及び前記端末ＵＵＩＤに加え、前記新たなユーザーＩＤ及びパスワードをも利用して、前記携帯端末と前記インターホン親機との間で通信が確立されることを特徴とするインターホンシステム。
【請求項２】
玄関に設置され、来訪者が居住者を呼び出すためのインターホン子機と、居室内に設置され、前記インターホン子機からの呼び出しに応答するためのインターホン親機と、ユーザーが所持しており、前記インターホン親機と接続可能な携帯端末とを備え、
前記インターホン親機に保存されているアプリケーションを前記携帯端末にダウンロードさせ、前記携帯端末で前記アプリケーションを起動させることにより、前記携帯端末と前記インターホン親機との間で通信が確立され、前記携帯端末で前記インターホン親機から情報を受け取ることができるという前記インターホン親機が提供するサービスをうけられるインターホンシステムであって、
前記インターホン親機に、前記アプリケーションに付されているアプリＵＵＩＤと、前記携帯端末が有する端末ＵＵＩＤとをもとに、新たなユーザーＩＤとパスワードとを生成する識別情報生成部が設けられており、
前記サービスをうけるための初期設定に際し、前記携帯端末での前記アプリケーションの起動に伴い、前記アプリＵＵＩＤ及び前記端末ＵＵＩＤが前記インターホン親機へ送信されると、前記インターホン親機において、前記アプリＵＵＩＤ及び前記端末ＵＵＩＤをもとに前記新たなユーザーＩＤ及びパスワードが生成され、生成された前記新たなユーザーＩＤ及びパスワードが前記携帯端末へ返信されると、前記携帯端末において前記アプリＵＵＩＤ及び前記端末ＵＵＩＤに関連づけて登録されるようになっており、
以後、前記サービスをうけるにあたって前記携帯端末で前記アプリケーションが起動されると、前記アプリＵＵＩＤ及び前記端末ＵＵＩＤに加え、前記新たなユーザーＩＤ及びパスワードをも利用して、前記携帯端末と前記インターホン親機との間で通信が確立されることを特徴とするインターホンシステム。
【発明の詳細な説明】
【技術分野】
【０００１】
本発明は、ユーザーが携帯する携帯端末で、たとえばインターホン子機が撮像する映像を確認したりすることができるインターホンシステムに関するものである。
【背景技術】
【０００２】
従来、インターホン子機やインターホン親機等のインターホン機器をインターネットに接続して、たとえばインターホン子機により撮像される映像をインターホン親機以外の機器でも視聴可能としたインターホンシステムが考案されている（特許文献１）。
【先行技術文献】
【特許文献】
【０００３】
【特許文献１】特開２００１−１８６１９０号公報
【発明の概要】
【発明が解決しようとする課題】
【０００４】
しかしながら、たとえば住戸外においてスマートフォン等の携帯端末でインターホン子機が撮像する映像を確認するといったサービス等をうけるためには、インターホン親機と携帯端末とを無線通信可能に接続しなければならない。しかしながら、両機器を無線通信可能に接続するには、初期設定において何種類ものＩＤやパスワードの設定をしなければならないため、そのような初期設定に係る作業が煩雑で利便性において問題がある。また、インターネットを介して接続するとなると、ＩＤやパスワードの管理等においてセキュリティの向上も望まれている。
【０００５】
そこで、本発明は、上記課題に鑑みなされたものであって、携帯端末とインターホン親機とを接続するに際しての初期設定に係る作業が容易であるとともに、セキュリティの向上をも図ることができるインターホンシステムを提供しようとするものである。
【課題を解決するための手段】
【０００６】
上記目的を達成するために、本発明のうち請求項１に記載の発明は、玄関に設置され、来訪者が居住者を呼び出すためのインターホン子機と、居室内に設置され、インターホン子機からの呼び出しに応答するためのインターホン親機と、インターネットを介してインターホン親機と接続可能な外部サーバーと、ユーザーが所持しており、インターネットを介して外部サーバーと接続可能な携帯端末とを備え、外部サーバーに保存されているアプリケーションを携帯端末にダウンロードさせ、携帯端末でアプリケーションを起動させることにより、携帯端末とインターホン親機との間で通信が確立され、携帯端末でインターホン親機から情報を受け取ることができるという外部サーバーが提供するサービスをうけられるインターホンシステムであって、外部サーバーに、アプリケーションに付されているアプリＵＵＩＤと、携帯端末が有する端末ＵＵＩＤとをもとに、新たなユーザーＩＤとパスワードとを生成する識別情報生成部が設けられており、サービスをうけるための初期設定に際し、携帯端末でのアプリケーションの起動に伴い、インターホン親機を介してアプリＵＵＩＤ及び端末ＵＵＩＤが外部サーバーへ送信されると、外部サーバーにおいて、アプリＵＵＩＤ及び端末ＵＵＩＤをもとに新たなユーザーＩＤ及びパスワードが生成され、生成された新たなユーザーＩＤ及びパスワードがインターホン親機と携帯端末とへ返信されると、インターホン親機及び携帯端末においてアプリＵＵＩＤ及び端末ＵＵＩＤに関連づけて登録されるようになっており、以後、サービスをうけるにあたって携帯端末でアプリケーションが起動されると、アプリＵＵＩＤ及び端末ＵＵＩＤに加え、新たなユーザーＩＤ及びパスワードをも利用して、携帯端末とインターホン親機との間で通信が確立されることを特徴とする。
請求項１に記載の発明によれば、外部サーバーに、アプリケーションに付されているアプリＵＵＩＤと、携帯端末が有する端末ＵＵＩＤとをもとに、新たなユーザーＩＤとパスワードとを生成する識別情報生成部が設けられている。そして、外部サーバーが提供するサービスをうけるための初期設定に際し、携帯端末でのアプリケーションの起動に伴い、インターホン親機を介してアプリＵＵＩＤ及び端末ＵＵＩＤが外部サーバーへ送信されると、外部サーバーにおいて、アプリＵＵＩＤ及び端末ＵＵＩＤをもとにユーザーＩＤ及びパスワードが新たに生成され、生成されたユーザーＩＤ及びパスワードがインターホン親機と携帯端末とへ返信されると、インターホン親機及び携帯端末においてアプリＵＵＩＤ及び端末ＵＵＩＤに関連づけて登録されるようになっている。さらに、以後、サービスをうけるにあたって携帯端末でアプリケーションが起動されると、アプリＵＵＩＤ及び端末ＵＵＩＤに加え、ユーザーＩＤ及びパスワードをも利用して、携帯端末とインターホン親機との間で通信が確立されるようになっている。したがって、従来では、ユーザーが設定する必要のあったユーザーＩＤ及びパスワードが外部サーバーで自動的に生成されることになり、初期設定に係る作業の簡素化を図ることができる。また、アプリＵＵＩＤ及び端末ＵＵＩＤのみならず、外部サーバーで自動的に生成されたユーザーＩＤ及びパスワードをも利用して、携帯端末とインターホン親機との間での通信が確立されるため、セキュリティの向上についても図ることができる。
【０００７】
また、上記目的を達成するために、本発明のうち請求項２に記載の発明は、玄関に設置され、来訪者が居住者を呼び出すためのインターホン子機と、居室内に設置され、インターホン子機からの呼び出しに応答するためのインターホン親機と、ユーザーが所持しており、インターホン親機と接続可能な携帯端末とを備え、インターホン親機に保存されているアプリケーションを携帯端末にダウンロードさせ、携帯端末でアプリケーションを起動させることにより、携帯端末とインターホン親機との間で通信が確立され、携帯端末でインターホン親機から情報を受け取ることができるというインターホン親機が提供するサービスをうけられるインターホンシステムであって、インターホン親機に、アプリケーションに付されているアプリＵＵＩＤと、携帯端末が有する端末ＵＵＩＤとをもとに、新たなユーザーＩＤとパスワードとを生成する識別情報生成部が設けられており、サービスをうけるための初期設定に際し、携帯端末でのアプリケーションの起動に伴い、アプリＵＵＩＤ及び端末ＵＵＩＤがインターホン親機へ送信されると、インターホン親機において、アプリＵＵＩＤ及び端末ＵＵＩＤをもとに新たなユーザーＩＤ及びパスワードが生成され、生成された新たなユーザーＩＤ及びパスワードが携帯端末へ返信されると、携帯端末においてアプリＵＵＩＤ及び端末ＵＵＩＤに関連づけて登録されるようになっており、以後、サービスをうけるにあたって携帯端末でアプリケーションが起動されると、アプリＵＵＩＤ及び端末ＵＵＩＤに加え、新たなユーザーＩＤ及びパスワードをも利用して、携帯端末とインターホン親機との間で通信が確立されることを特徴とする。
請求項２に記載の発明によれば、インターホン親機に、アプリケーションに付されているアプリＵＵＩＤと、携帯端末が有する端末ＵＵＩＤとをもとに、新たなユーザーＩＤとパスワードとを生成する識別情報生成部が設けられている。そして、インターホン親機が提供するサービスをうけるための初期設定に際し、携帯端末でのアプリケーションの起動に伴い、アプリＵＵＩＤ及び端末ＵＵＩＤがインターホン親機へ送信されると、インターホン親機において、アプリＵＵＩＤ及び端末ＵＵＩＤをもとにユーザーＩＤ及びパスワードが新たに生成され、生成されたユーザーＩＤ及びパスワードが携帯端末４へ返信されると、携帯端末においてアプリＵＵＩＤ及び端末ＵＵＩＤに関連づけて登録されるようになっている。さらに、以後、サービスをうけるにあたって携帯端末でアプリケーションが起動されると、アプリＵＵＩＤ及び端末ＵＵＩＤに加え、ユーザーＩＤ及びパスワードをも利用して、携帯端末とインターホン親機との間で通信が確立されるようになっている。したがって、従来では、ユーザーが設定する必要のあったユーザーＩＤ及びパスワードがインターホン親機で自動的に生成されることになり、初期設定に係る作業の簡素化を図ることができる。また、アプリＵＵＩＤ及び端末ＵＵＩＤのみならず、インターホン親機で自動的に生成されたユーザーＩＤ及びパスワードをも利用して、携帯端末とインターホン親機との間での通信が確立されるため、セキュリティの向上についても図ることができる。
【発明の効果】
【０００８】
本発明によれば、従来では、ユーザーが設定する必要のあったユーザーＩＤ及びパスワードが外部サーバー（請求項１）やインターホン親機（請求項２）で自動的に生成されることになり、初期設定に係る作業の簡素化を図ることができる。また、アプリＵＵＩＤ及び端末ＵＵＩＤのみならず、外部サーバー（請求項１）やインターホン親機（請求項２）で自動的に生成されたユーザーＩＤ及びパスワードをも利用して、携帯端末とインターホン親機との間での通信が確立されるため、セキュリティの向上についても図ることができる。
【図面の簡単な説明】
【０００９】
【図１】インターホンシステムの概念図である。
【図２】インターホン親機のブロック構成図である。
【図３】インターホン親機と携帯端末とを接続するための初期設定に係る説明図である。
【図４】インターホン親機と携帯端末とを接続するための初期設定に係る別の形態を示した説明図である。
【発明を実施するための形態】
【００１０】
以下、本発明の一実施形態となるインターホンシステムについて、図面にもとづき詳細に説明する。
【００１１】
図１は、インターホンシステム１の概念図であり、図２は、インターホン親機３のブロック構成図である。
インターホンシステム１は、玄関の壁面等に設置され、居住者を呼び出すためのインターホン子機２と、室内等に設置され、インターホン子機２からの呼び出しに応答するためのインターホン親機３と、各ユーザーが携帯する携帯端末４と、機器同士を通信させるためのルーター５と、インターネット６を介してインターホン親機３や携帯端末４と接続される外部サーバー７とを有する。
【００１２】
インターホン子機２は、呼び出し操作した来訪者等を撮像するためのカメラ１１、インターホン親機３との間で通話するための通話部１２、及び来訪者が居住者を呼び出す際に操作するための呼出ボタン１３等を備えている。また、インターホン親機３は、インターホン子機２で撮像された映像を表示するためのモニター２２、インターホン子機２との間で通話するための通話部２５、初期設定を含め各種設定するための操作部２４、自身の動作を制御する親機ＣＰＵ２１や記憶部２３、インターホン子機２との間で通信するための通信回路２６、及びルーター５との間で通信するためのＬＡＮ回路２７等を備えている。
【００１３】
さらに、携帯端末４は、ユーザーが所持する所謂スマートフォンであって、表示部や操作部、通信部、制御部等を備えている。加えて、外部サーバー７は、たとえば住戸外においてインターホン子機２で撮像される映像を携帯端末４で確認するといったサービス等を提供するものであって、そのサービスをうけるにあたって携帯端末４で実行されるアプリケーション等が保存されているとともに、後述するようなサービス共有空間８が確保可能であったり、ユーザーＩＤやパスワードを生成する識別情報生成部９が備えられていたりする。
【００１４】
そして、インターホンシステム１では、各住戸で住戸ネットワークＮ１が形成されており、インターネット６を介さずともインターホン親機３と携帯端末４との間で無線通信が可能となっている。また、住戸ネットワークＮ１は、ルーター５を介してインターネット６（公衆ネットワークＮ２）と接続されている。したがって、ユーザーが住戸外にいて携帯端末４を住戸ネットワークＮ１に接続させることができない場合であっても、公衆ネットワークＮ２を介して携帯端末４とインターホン親機３とを通信可能に接続させることができる。
【００１５】
ここで、上述したようなサービスをうけるために、インターネット６を介してインターホン親機３と携帯端末４とを接続するための初期設定について説明する。図３は、インターホン親機３と携帯端末４とを接続するための初期設定に係る説明図である。
まず、ユーザーは、外部サーバー７に保存されているアプリケーションを携帯端末４にダウンロードし、携帯端末４上でアプリケーションを起動させる（Ｓ１）。また、ユーザーはインターホン親機３でも操作部２４を操作し、インターホン親機３のモードを携帯端末４との接続を確立するための設定モードとする（Ｓ２）。すると、インターホン親機３のＩＤ等をもとにしてインターホン親機３が検索され、インターホン親機３と携帯端末４との間で通信が確立される（Ｓ３）。そして、両者の通信が確立されると、ユーザーは携帯端末４を操作し、登録名（所謂アカウント）を入力した（Ｓ４）後、登録ボタンを操作する等して、インターホン親機３へ登録名を送信する。すると、登録名に加え、アプリケーションに元々付されているアプリＵＵＩＤ（Ｕｎｉｖｅｒｓａｌｌｙ  Ｕｎｉｑｕｅ  Ｉｄｅｎｔｉｆｉｅｒの略）、及び携帯端末４に付されている端末ＵＵＩＤがインターホン親機３へ送信され、携帯端末４の新規登録が要求される（Ｓ５）。
【００１６】
そして、インターホン親機３において携帯端末４からの登録名、アプリＵＵＩＤ、及び端末ＵＵＩＤが受け取られると、ユーザーは操作部２４を操作して、携帯端末４の新規登録の受け付けを認証すればよい（Ｓ６）。すると、インターホン親機３が受け取った登録名、アプリＵＵＩＤ、及び端末ＵＵＩＤが、新規登録通知としてインターネット６を経由し外部サーバー７へ送信される（Ｓ７）。一方、外部サーバー７は、新規登録通知を受け取ると、受け取ったアプリＵＵＩＤ及び端末ＵＵＩＤをもとに識別情報生成部９で新たなＩＤであるユーザーＩＤとパスワードとを生成する（Ｓ８）。そして、生成したユーザーＩＤ及びパスワードを、受け取った登録名、アプリＵＵＩＤ、及び端末ＵＵＩＤに関連づけて仮登録情報として記憶する（Ｓ９）。また、外部サーバー７で仮登録がなされた旨に、生成したユーザーＩＤやパスワードを含め、仮登録通知として携帯端末４とインターホン親機３とへ送信する（Ｓ１０、Ｓ１１）。そして、携帯端末４及びインターホン親機３では、携帯端末４から受け取った登録名、アプリＵＵＩＤ、及び端末ＵＵＩＤに、外部サーバー７から受け取った生成したユーザーＩＤ及びパスワードが関連づけられて仮登録される（Ｓ１２、Ｓ１３）。
【００１７】
さらに、携帯端末４が外部サーバー７からユーザーＩＤ及びパスワードを受け取ると、携帯端末４には仮登録が完了した旨が表示される（ユーザーＩＤの具体的な内容等は表示されない）ため、ユーザーは再度登録ボタンを操作する等して、仮登録の認証をすればよい（Ｓ１４）。すると、携帯端末４から登録名、アプリＵＵＩＤ、端末ＵＵＩＤ、ユーザーＩＤ、及びパスワードがインターホン親機３へ送信され（Ｓ１５）、登録確認が要求される。そして、インターホン親機３は、登録確認を受け取ると、登録確認に含まれている情報と自身が記憶している仮登録の情報とを照合し（Ｓ１６）、両者が一致すると携帯端末４の登録が確定される（Ｓ１７）。また、登録の確定に伴い、携帯端末４に対して登録確定通知が送信される（Ｓ１８）一方、外部サーバー７に対して仮登録を確定登録とするよう確定登録要求が送信される（Ｓ１９）。そして、登録確定通知の受信に伴い携帯端末４で登録が確定され（Ｓ２０）、外部サーバー７でも携帯端末４の登録が確定される（Ｓ２１）。そして、登録確定以後は、携帯端末４においてアプリケーションを起動させ、登録名を入力するだけで、インターホン親機３との接続を確立することができ、インターホン子機２が撮像した映像を携帯端末４で確認するというサービスをうけることができる。
【００１８】
また、携帯端末４やインターホン親機３を利用して、たとえば掲示板等のサービス共有空間８を外部サーバー７内に確保することができ、そのサービス共有空間８は、登録名及びユーザーＩＤに関連づけられて確保されるようになっている。すなわち、登録名の他に、アプリＵＵＩＤや端末ＵＵＩＤ等を知り得たとしても、ユーザーＩＤを知らなければサービス共有空間８にアクセスできない。そして、ユーザーＩＤは、外部サーバー７で自動的に生成されるものであり、且つ、ユーザーにも具体的な内容は通知されないようになっている。したがって、ユーザーＩＤまでもを知ることは困難であり、本人以外の他人がサービス共有空間８へ不正にアクセスすることは非常に困難となる。ただ、正規のユーザーであると、アプリケーションの起動に伴い登録名さえ入力すれば、登録名、アプリＵＵＩＤ、端末ＵＵＩＤ、ユーザーＩＤ、及びパスワードが全て外部サーバー７へ送信されるため、煩わしい作業を必要とすることなくサービス共有空間８にアクセスすることができる。
【００１９】
以上のようなインターホンシステム１によれば、外部サーバー７に、アプリケーションに付されているアプリＵＵＩＤと、携帯端末４が有する端末ＵＵＩＤとをもとに、新たなユーザーＩＤとパスワードとを生成する識別情報生成部９が設けられている。そして、外部サーバー７が提供するサービスをうけるための初期設定に際し、携帯端末４でのアプリケーションの起動に伴い、インターホン親機３を介してアプリＵＵＩＤ及び端末ＵＵＩＤが外部サーバー７へ送信されると、外部サーバー７において、アプリＵＵＩＤ及び端末ＵＵＩＤをもとにユーザーＩＤ及びパスワードが新たに生成され、生成されたユーザーＩＤ及びパスワードがインターホン親機３と携帯端末４とへ返信されると、インターホン親機３及び携帯端末４においてアプリＵＵＩＤ及び端末ＵＵＩＤに関連づけて登録されるようになっている。さらに、以後、サービスをうけるにあたって携帯端末４でアプリケーションが起動されると、アプリＵＵＩＤ及び端末ＵＵＩＤに加え、ユーザーＩＤ及びパスワードをも利用して、携帯端末４とインターホン親機３との間で通信が確立されるようになっている。したがって、従来では、ユーザーが設定する必要のあったユーザーＩＤ及びパスワードが外部サーバー７で自動的に生成されることになり、初期設定に係る作業の簡素化を図ることができる。また、アプリＵＵＩＤ及び端末ＵＵＩＤのみならず、外部サーバー７で自動的に生成されたユーザーＩＤ及びパスワードをも利用して、携帯端末４とインターホン親機３との間での通信が確立されるため、セキュリティの向上についても図ることができる。
【００２０】
なお、本発明に係るインターホンシステムは、上記実施形態の態様に何ら限定されるものではなく、インターホン子機やインターホン親機といったインターホン機器に係る構成は勿論、インターホン親機と携帯端末との間での初期設定に係る構成についても、本発明の趣旨を逸脱しない範囲で、必要に応じて適宜変更することができる。
【００２１】
たとえば、上記実施形態では、インターホン子機、インターホン親機、及び携帯端末に加え、インターネットを介して接続される外部サーバーをも含めてインターホンシステムを構成しているが、インターホン子機、インターホン親機、及び携帯端末からなるインターホンシステムとして構成することも可能である。すなわち、上記実施形態では、外部サーバーに識別情報生成部を設けるとともに、外部サーバーにアプリケーションを保存するとしているところ、インターホン親機に識別情報生成部を設けるとともに、アプリケーションについてもインターホン親機に保存させればよい。
【００２２】
上述したような外部サーバーを必要としないインターホンシステムにあっては、図４に示すような流れで初期設定が行われる。
まず、ユーザーは、インターホン親機に保存されているアプリ−ケーションを携帯端末にダウンロードすることになる。そして、その後はＳ１〜Ｓ５同様の手順で、携帯端末におけるアプリケーションの起動（Ｓ３１）や、インターホン親機におけるモード変更（Ｓ３２）、両機器での通信確立（Ｓ３３）、携帯端末での登録名の入力（Ｓ３４）、及び携帯端末からインターホン親機への新規登録要求（Ｓ３５であって、登録名やアプリＵＵＩＤ等の送信）が行われる。
【００２３】
そして、インターホン親機において携帯端末の新規登録の受け付けを認証する（Ｓ３６）と、インターホン親機が、アプリＵＵＩＤ及び端末ＵＵＩＤをもとに新たなＩＤであるユーザーＩＤとパスワードとを生成し（Ｓ３７）、生成したユーザーＩＤ及びパスワードを、登録名やアプリＵＵＩＤ等に関連づけて仮登録情報として記憶する（Ｓ３８）ことになる。
【００２４】
その後は、実施形態のインターホンシステムと同様に登録の確認が行われることになり、インターホン親機から携帯端末へ仮登録通知が送信されて（Ｓ３９）、携帯端末で仮登録（Ｓ４０）され、その仮登録が認証される（Ｓ４１）ことで、携帯端末からインターホン親機へ確定登録要求が送信される（Ｓ４２）。また、インターホン親機で照合された（Ｓ４３）後、インターホン親機における登録の確定（Ｓ４４）、携帯端末への登録確定通知の送信（Ｓ４５）、及び携帯端末における登録の確定（Ｓ４６）がなされることになる。
【００２５】
したがって、外部サーバーを有さない上記インターホンシステムでは、インターホン親機に、アプリケーションに付されているアプリＵＵＩＤと、携帯端末が有する端末ＵＵＩＤとをもとに、新たなユーザーＩＤとパスワードとを生成する識別情報生成部が設けられており、インターホン親機が提供するサービスをうけるための初期設定に際し、携帯端末でのアプリケーションの起動に伴い、アプリＵＵＩＤ及び端末ＵＵＩＤがインターホン親機へ送信されると、インターホン親機において、アプリＵＵＩＤ及び端末ＵＵＩＤをもとにユーザーＩＤ及びパスワードが新たに生成され、生成されたユーザーＩＤ及びパスワードが携帯端末４へ返信されると、携帯端末においてアプリＵＵＩＤ及び端末ＵＵＩＤに関連づけて登録されるようになっている。さらに、以後、サービスをうけるにあたって携帯端末でアプリケーションが起動されると、アプリＵＵＩＤ及び端末ＵＵＩＤに加え、ユーザーＩＤ及びパスワードをも利用して、携帯端末とインターホン親機との間で通信が確立されるようになっている。したがって、実施形態に記載のインターホンシステム同様、従来では、ユーザーが設定する必要のあったユーザーＩＤ及びパスワードがインターホン親機で自動的に生成されることになり、初期設定に係る作業の簡素化を図ることができることになる。また、アプリＵＵＩＤ及び端末ＵＵＩＤのみならず、インターホン親機で自動的に生成されたユーザーＩＤ及びパスワードをも利用して、携帯端末とインターホン親機との間での通信が確立されるため、セキュリティの向上についても図ることができることになる。
【符号の説明】
【００２６】
１・・インターホンシステム、２・・インターホン子機、３・・インターホン親機、４・・携帯端末、５・・ルーター、６・・インターネット、７・・外部サーバー、９・・識別情報生成部。
【図１】
0006710076.tif 000002
【図２】
0006710076.tif 000003
【図３】
0006710076.tif 000004
【図４】
0006710076.tif 000005